(57)【要約】【課題】シリンダー錠を２個組合わせてピッキングを防止し、防犯効果を高めた複合ドアロックを提供するものである。【解決手段】ドア１に組込んだ第１のシリンダー錠２に連動し、ドア枠１０に設けた受座１１に出没自在に嵌合する第１のデッドボルト５と、この近傍に設けられた第２のシリンダー錠４と、この第２のシリンダー錠４に連動し、前記第１のデッドボルト５に、上下方向に出没自在に嵌合する第２のデッドボルト１２とからなり、第１のシリンダー錠２を施錠した状態で第２のシリンダー錠４を施錠することにより、第２のデッドボルト１２が第１のデッドボルト５に嵌合してロックするものである。【選択図】　　図２
2004107941.tif 000002
【特許請求の範囲】
【請求項１】
ドアに組込んだ第１のシリンダー錠に連動し、ドア枠に設けた受座に出没自在に嵌合する第１のデッドボルトと、この近傍に設けられた第２のシリンダー錠と、この第２のシリンダー錠に連動し、前記第１のデッドボルトに、上下方向に出没自在に嵌合する第２のデッドボルトとからなり、第１のシリンダー錠を施錠した状態で第２のシリンダー錠を施錠することにより、第２のデッドボルトが第１のデッドボルトに嵌合してロックすることを特徴とする複合ドアロック。
【請求項２】
第１のシリンダー錠が、ドアのノブまたはレバーに組込まれていることを特徴とする請求項１記載の複合ドアロック。
【請求項３】
第１のシリンダー錠と第２のシリンダー錠が、同一のキーで施錠されることを特徴とする請求項１または２記載の複合ドアロック。
【請求項４】
請求項１記載の複合ドアロックにおいて、第１または第２のシリンダー錠のドア−の内側に取付けられたサムターンの近傍に、更にサムターンが嵌合する嵌合溝を形成したサムターンロックを、回動自在に取付けて、施錠時にドアの内側から嵌合溝をサムターンに嵌合させて回転をロックすることを特徴とする複合ドアロック。
【発明の詳細な説明】
【０００１】
【発明の属する技術分野】
本発明はシリンダー錠を２個組合わせてピッキングを防止した複合ドアロックに関するものである。
【０００２】
【従来の技術】
近年、マンションや戸建住宅のドアに取付けたシリンダー錠に特殊工具を差し込んで開錠し、室内に侵入するピッキングの被害が頻繁に発生している。このため、ドアの手前に出没自在のストッパー錠を別に取付けて、施錠された状態ではドアがストッパーに当って開かないようにしたものがある。
【０００３】
しかしながら、本締め錠であるシリンダー錠と、ストッパー錠の２個の鍵がないと開錠しないので、常時２個のキーを持ち歩く必要があり、またそれぞれの錠に異なるキーを差し込むので手間がかかる問題があった。
【０００４】
【発明が解決しようとする課題】
本発明は上記問題を改善し、シリンダー錠を２個組合わせてピッキングを防止し、防犯効果を高めた複合ドアロックを提供するものである。
【０００５】
【課題を解決するための手段】
本発明の請求項１記載の複合ドアロックは、ドアに組込んだ第１のシリンダー錠に連動し、ドア枠に設けた受座に出没自在に嵌合する第１のデッドボルトと、この近傍に設けられた第２のシリンダー錠と、この第２のシリンダー錠に連動し、前記第１のデッドボルトに、上下方向に出没自在に嵌合する第２のデッドボルトとからなり、第１のシリンダー錠を施錠した状態で第２のシリンダー錠を施錠することにより、第２のデッドボルトが第１のデッドボルトに嵌合してロックすることを特徴とするものである。
【０００６】
また請求項２記載の複合ドアロックは、第１のシリンダー錠がドアのノブまたはレバーに組込まれていることを特徴とするものである。また請求項３記載の複合ドアロックは、第１のシリンダー錠と第２のシリンダー錠が同一のキーで施錠されることを特徴とするものである。
【０００７】
更に請求項４記載の複合ドアロックは、第１または第２のシリンダー錠のドア−の内側に取付けられたサムターンの近傍に、更にサムターンが嵌合する嵌合溝を形成したサムターンロックを、回動自在に取付けて、施錠時にドアの内側から嵌合溝をサムターンに嵌合させて回転をロックすることを特徴とするものである。
【０００８】
【発明の実施の形態】
以下本発明の実施の一形態を図１ないし図６を参照して詳細に説明する。ドア１の外側に本締錠となる第１のシリンダー錠２を組込んだノブ（握玉）３が取付けられ、この下部に補助錠となる第２のシリンダー錠４が取付けられている。第１のシリンダー錠２と第２のシリンダー錠４は同一のキーで施錠するようになっている。
【０００９】
第１のシリンダー錠２は、図２に示すように、これに連動して横方向に出没する第１のデッドボルト５と、ノブ３の回転に連動して横方向に出没するラッチ６が取付けられている。また前記第１のデッドボルト５の中間には縦方向に嵌合孔８が形成されている。
【００１０】
また１０はドア枠で、前記第１のシリンダー錠２に対向する側面に、第１のデッドボルト５と、ラッチ６が嵌合する受座１１が取付けられている。また第１のシリンダー錠２の下部に設けた第２のシリンダー錠４に連動する第２のデッドボルト１２には突起部１３が形成され、前記第１のデッドボルト５が施錠された状態で、この中間に縦方向に形成した嵌合孔８に、突起部１３が出没自在に嵌合するようになっている。
【００１１】
つまり通常多く取付けられている第１のシリンダー錠２の下に、第２のシリンダー錠４を横方向に取付けて、その第２のデッドボルト１２が第１のデッドボルト５に出没自在に嵌合してロックするようにしたものである。
【００１２】
またドア１の内側は図３に示すように、第１のシリンダー錠２の第１のサムターン１５が設けられ、また第２のシリンダー錠４にも第２のサムターン１６が設けられている。第１のシリンダー錠２のサムターン１５の横のドア１の内側面にはサムターンロック１７が回動自在に取付けられている。
【００１３】
このサムターンロック１７はドア１の内側に固定したヒンジ１８に、アーム１９が回動自在に支持され、このアーム１９の先端に横長の嵌合溝２０が形成され、図４に示すようにアーム１９を回動させることにより嵌合溝２０が第１のサムターン１５に嵌合するようになっている。
【００１４】
次に上記構成の複合ドアロックを操作する方法について説明する。先ず開錠した状態では図５に示すように、第１のシリンダー錠２の第１のデッドボルト５は没入した状態でドア枠１０の受座１１から外れている。また第２のシリンダー錠４の第２のデッドボルト１２は下がった状態となっている。外出する時には、ドア１の外側から、ノブ３に設けた第１のシリンダー錠２の鍵穴にキーを差し込んで回転させると、図６に示すように、これに連動して第１のデッドボルト５が伸出して受座１１に嵌合し、施錠される。
【００１５】
この後、第１のシリンダー錠２の下に取付けた第２のシリンダー錠４の鍵穴に同じキーを差し込んで回転させると、これに連動して第２のデッドボルト１２が上方に伸出して、この先端に形成した突起部１３が、図２に示すように第１のデッドボルト５の嵌合孔８に嵌合して、第１のデッドボルト５がロックされる。
【００１６】
従って、シリンダー錠を開錠して不法に室内に侵入しようとする場合、第１と第２のシリンダー錠２、４の２個が取付けられているので、ピッキング犯は開錠に手間の掛かる鍵を取付けてあるドア１からの侵入を諦める可能性が高い。またピッキング犯が第１のシリンダー錠２から開錠しようとしても、この第１のデッドボルト５は、第２のデッドボルト１２が嵌合してロックされているので、単独では開錠することができない。
【００１７】
また帰宅してドア１を開ける場合には、先ず下側の第２のシリンダー錠４をキーで回転させると、図６に示すように第２のデッドボルト１２の突起部１３が下がって、第１のデッドボルト５の嵌合孔８から抜け出し、第１のデッドボルト５のロックが解除される。次に第１のシリンダー錠２の鍵穴にキーを差し込んで回転させると、これに連動して第１のデッドボルト５が戻り、図５に示すように受座１１から外れて開錠され、ドア１を開いて家の中に入ることができる。
【００１８】
また帰宅してから、図４に示すようにサムターンロック１７を回動させて、図３に示すように、この嵌合溝２０を第１のシリンダー錠２の第１のサムターン１５に嵌合させておく。ピッキング犯が夜間就寝中に侵入しようとして、第２のシリンダー錠４の第２のデッドボルト１２を外しても、第１のシリンダー錠２は、これと連動する第１のサムターン１５がロックされているので回転せず、侵入することができず三重ロックした状態となる。
【００１９】
図７は本発明の異なる他の実施の形態を示すもので、レバー２１に第１のシリンダー錠２を組込み、この上に第２のシリンダー錠４を取付けたものである。この場合には、第２のシリンダー錠４を施錠すると、第２のデッドボルト１２が下降して、第１のシリンダー錠２の第２のデッドボルト１２に嵌合してロックするようになっている。
【００２０】
なお上記説明では、サムターンロック１７を取付けた場合について示したが、サムターンロック１７を設けていない構造でも良い。また上記説明では、右開きドア１に複合ドアロックを取付けた場合について示したが、左開きドア１に取付けても良い。
【００２１】
また第１と第２のシリンダー錠２、４は同一のキーで施錠する場合について示したが、異なるキーを用いても良い。またこの場合、第２のシリンダー錠４の第２のデッドボルト１２をスプリングで常時、伸出させておき、第２のシリンダー錠４にキーを差し込んで回転させた状態の時だけ、第２のデッドボルト１２が第１のデッドボルト５から外れるようにしても良い。この構造では、第１のシリンダー錠２を施錠するだけで二重にロックされ、また開錠する時にはそれぞれ異なるキーで第１と第２のシリンダー錠２、４を同時に回転させないと開錠できないようにしても良い。
【００２２】
【発明の効果】
以上説明した如く本発明に係る請求項１記載の複合ドアロックによれば、第１のシリンダー錠の近傍に、第２のシリンダー錠を取付けて、その第２のデッドボルトが第１のデッドボルトに出没自在に嵌合してロックするようにしたので、二重のロックとなり、開錠に手間が掛かるため、ピッキング犯は侵入を諦める可能性が高い。またピッキング犯が第１のシリンダー錠から開錠しようとしても、この第１のデッドボルトは、第２のデッドボルトが嵌合してロックされているので、単独では開錠することができず防犯効果に優れている。
【００２３】
また請求項２記載の複合ドアロックによれば、第１のシリンダー錠がドアのノブまたはレバーに組込まれているので構造を簡素化することができる。また請求項３記載の複合ドアロックによれば、第１のシリンダー錠と第２のシリンダー錠が同一のキーで施錠されるようにしたので持ち歩くキーの数が少なく施錠や開錠を手早く行なうことができる。
【００２４】
更に請求項４記載の複合ドアロックによれば、第１または第２のシリンダー錠のドア−の内側に取付けられたサムターンの近傍に、更にサムターンが嵌合する嵌合溝を形成したサムターンロックを、回動自在に取付けて、施錠時にドアの内側から嵌合溝をサムターンに嵌合させて回転をロックするので、在宅している場合には三重ロック構造となり、更に防犯効果を高めることができる。
【図面の簡単な説明】
【図１】本発明の実施の一形態による複合ドアロックを取付けたドアの正面図である。
【図２】図１のドアを構成する前面板を破断して第１と第２のデッドボルトの嵌合状態を示す要部断面図である。
【図３】図１のドアロックを取付けたドアの背面図である。
【図４】
サムターンロックを第１のシリンダー錠の第１のサムターンに嵌合させた状態を示す平面図である。
【図５】図１のドアを構成する前面板を破断して第１のデッドボルトが抜けた状態を示す要部断面図である。
【図６】図５の第１のデッドボルトが伸出した状態を示す要部断面図である。
【図７】本発明の異なる他の実施の形態による第１のシリンダー錠を組込んだレバーを取付けた状態を示すドアの正面図である。
【符号の説明】
１　　　　ドア
２　　　　第１のシリンダー錠
３　　　　ノブ
４　　　　第２のシリンダー錠
５　　　　第１のデッドボルト
６　　　　ラッチ
８　　　　嵌合孔
１０　　ドア枠
１１　　受座
１２　　第２のデッドボルト
１３　　突起部
１５　　第１のサムターン
１６　　第２のサムターン
１７　　サムターンロック
１９　　アーム
２０　　嵌合溝
２１　　レバー
【図１】
2004107941.tif 000003
【図２】
2004107941.tif 000004
【図３】
2004107941.tif 000005
【図４】
2004107941.tif 000006
【図５】
2004107941.tif 000007
【図６】
2004107941.tif 000008
【図７】
2004107941.tif 000009